(57)【要約】【課題】中空構造を有する電波暗室用電波吸収体を電波暗室の壁面や天井面への取り付け、取り外し作業が短時間で容易に行なうことができ、また固定後、長期間使用する場合においても落下のおそれが極めて低い電波吸収体を提供することを目的とする。【解決手段】電波吸収性のシートから形成され中空構造を有する電波吸収体１に設けられた、電波暗室への接触面８に、外部に設けたフック部材６を挿入させるための開口部３および前記フック部材に係止する係止部２を有することを特徴とする電波暗室用電波吸収体である。【選択図】図６
2009231704.tif 000002
【特許請求の範囲】
【請求項１】
電波吸収性のシートから形成され中空構造を有する電波吸収体であって、電波暗室への接触面に、外部に設けたフック部材を挿入させるための開口部および前記フック部材に係止する係止部を有することを特徴とする電波暗室用電波吸収体。
【請求項２】
前記係止部が補強されてなる、請求項１記載の電波暗室用電波吸収体。
【発明の詳細な説明】
【技術分野】
【０００１】
本発明は、家電・ＯＡ機器・通信機器をはじめとする各種エレクトロニクス関連製品のエミッション、イミュニティ測定・試験に使用される電波暗室に設置して用いる電波暗室用電波吸収体に関する。
【背景技術】
【０００２】
電波暗室用電波吸収体の従来の取り付け方法としては、特許文献１のように接着材等で固着するのが一般的であった。しかし係る方法では、接着剤が硬化するまでの養生時間が長く、又、破損などで吸収体を交換する際は取替え施工の手間も掛かり、施工費が高くなるという問題があった。
【０００３】
また特許文献２には、壁面に設けた取り付け補助具を介し、ビスを用いて電波吸収体を固定する方法が開示されている。しかしこの方法では、１つ１つの電波吸収体に対し、壁面に取り付けた補助具と電波吸収体とをビス止めする必要があり、取り付け、取り外し作業が煩雑化する。
【０００４】
また特許文献３には、凸部と凹部の係合部材を電波吸収体、壁面にそれぞれ設け嵌合させて取り付ける方法が開示されている。しかしこの方法では、係合部材を嵌合する際、ある一定の押圧が必要であり、中空構造を有する電波吸収体を固定する場合、変形または破損させてしまう恐れがある。
【０００５】
一方、中実構造を有する電波吸収体では、壁面や天井に固定後、長期間にわたって使用する際、電波吸収体の自重による接着剤の剥がれや嵌合が弱いなどの要因で電波吸収体が落下する恐れがあった。
【特許文献１】特開平６−２７５９８１号公報
【特許文献２】特開２００５−３２７８１号公報
【特許文献３】特開２００１−２０３４９２号公報
【発明の開示】
【発明が解決しようとする課題】
【０００６】
本発明は、電波暗室の壁面や天井面への取り付け、取り外し作業が短時間で容易に行なうことができ、また固定後、長期間使用する場合においても落下のおそれが極めて低い電波吸収体を提供することを目的とする。
【課題を解決するための手段】
【０００７】
すなわち本発明は、電波吸収性のシートから形成され中空構造を有する電波吸収体であって、電波暗室への接触面に、外部に設けたフック部材を挿入させるための開口部および前記フック部材に係止する係止部を有することを特徴とする電波暗室用電波吸収体である。
【発明の効果】
【０００８】
本発明の電波吸収体は、電波暗室の壁面や天井面への取り付け、取り外し作業が短時間で容易に行なうことができ、また固定後、長期間使用する場合においても落下のおそれが極めて低い電波吸収体を得ることができる。
【発明を実施するための最良の形態】
【０００９】
本発明の電波暗室用電波吸収体は、電波吸収性のシートから形成されてなる。電波吸収性は、導電性材料をシートに含有させることにより付与することができる。導電性材料は、電波エネルギーを微少な電流に変換し、さらに熱エネルギーに変換することで電波の減衰を行う。
【００１０】
導電性材料としては例えば、カーボンブラック、カーボンマイクロコイル粉、グラファイト粉、金属粉、金属酸化物等の導電性粉体や、炭素繊維、炭化ケイ素繊維、金属繊維、金属メッキ繊維等の導電性繊維を挙げることができる。
【００１１】
導電性材料を含有するシートの態様としては例えば、導電性繊維を含む混抄紙が好ましい。かかる混抄紙は、少量の導電性材料の添加によっても効率良く電波吸収性能を得ることができ、ひいては軽量化も可能である。また、加工も容易である。
【００１２】
かかる混抄紙に対する導電性繊維の含有量としては、０．０１〜７ｇ／ｍ２が好ましい。０．０１ｇ／ｍ２以上、より好ましくは０．０８ｇ／ｍ２以上とすることで、電波吸収性能を発現させることができる。また、７ｇ／ｍ２以下、より好ましくは３ｇ／ｍ２以下とすることで、電波の反射を抑えることができる。
【００１３】
またさらに、導電性繊維を含む混抄紙を含んでなる段ボールを電波吸収性のシートとすることも好ましい。そうすることで、電波吸収体の軽量性と強度とを両立させることができる。
【００１４】
本発明の電波暗室用電波吸収体は、中空構造を有することが重要である。そうすることで、軽量化に資する。
【００１５】
本発明の電波暗室用電波吸収体の形状としては、ピラミッド型、楔型、多角柱、立方体型等を採用することができる。なかでもピラミッド型や楔型は、林立させた電波吸収体の間で反射する電波も効率良く吸収させることができ、好ましい。
【００１６】
本発明の電波暗室用電波吸収体は、電波暗室への接触面に、外部に設けたフック部材を挿入させるための開口部および前記フック部材に係止する係止部を有することが重要である。ここで、電波暗室への接触面とは、電波吸収体を固定するに際し、電波暗室の床面、壁面または天井面に接する面を言う。開口部からフック部材を挿入し、係止部が当該フック部材を係止することにより、電波暗室の壁面や天井面への取り付け、取り外し作業が短時間で容易に行なうことができる。
【００１７】
係止部は、補強されてなることが好ましい。係止部にはフック部材が接触し、電波吸収体の自重等の負荷がかかり易いが、係止部を補強することにより、かかる負荷による撓み、変形や破壊を防ぐことができる。補強の態様としては、電波吸収性のシートよりも剛性の高い部材等の電波吸収性のシートとは別の部材で形成するもの、電波吸収性のシートとは別の部材を電波吸収性のシートに積層するもの、電波吸収性のシート同士を積層させて厚くするもの、等を挙げることができる。
【００１８】
係止部を補強するための電波吸収性のシートとは別の部材としては、樹脂材料や段ボールが挙げられる。樹脂材料としては、ポリプロピレン樹脂、ポリフェニレンサルファイド樹脂、ポリエーテルエーテルケトン樹脂、ポリアセタール樹脂、アクリル樹脂、ポリ塩化ビニル樹脂、ＡＢＳ樹脂、ポリフェノール樹脂、ユリア樹脂、メラミン樹脂等を挙げることができる。
【００１９】
また、係止部を補強するための電波吸収性のシートとは別の部材は、電波暗室の防災性の観点から不燃性あるいは難燃性であることが好ましい。
【００２０】
係止部を補強するために電波吸収性のシートとは別の部材を用いる場合、当該部材と電波吸収性のシートとの接合方法としては、接着剤や接着テープで貼合する方法や、両部材に孔を設け樹脂製のピンで接合する方法を採用することができる。接合強度などを鑑みた場合、孔を設け樹脂製のピンで接合する方法が好ましい。
【００２１】
本発明の電波暗室用電波吸収体の実施の形態の例を、図を用いて説明する。
図１は、中空ピラミッド形状の電波吸収体の展開図である。
また、図２は、中空ピラミッド形状に組み立てた電波吸収体の概略斜視図である。電波暗室への接触面に相当するピラミッド形状の底面には、外部に設けたフック部材を挿入させるための開口部が設けられている。また、当該開口部を囲うように、係止部が設けられている。
図３は、係止部を補強する部材の形状の例を示す概略図である。図３の（ｂ）、（ｃ）、（ｄ）のように、開口部を区分する梁を設け、かかる梁を係止部とすることも好ましい。そうすることで、中空の電波吸収体自体の補強や係止部にかかる負荷の分散に資する。また、後述する爪付きのフック部材に梁を固定させることで、横滑り等による電波吸収体の落下を防止することもできる。
【００２２】
図４は、外部すなわち電波暗室の壁面あるいは天井面に取付けるフック部材の例の概略図である。フック部材には、図４（ｂ）の様に、その先端に爪を設けることも好ましい。そうすることで、特に天井面に電波吸収体を固定する際にも、横滑りなどによる電波吸収体の落下を防止することができる。
図５は、ビスによって該フック部材を壁面に取付けた状態の断面図である。
フック部材を先端部から電波吸収体の開口部に挿入させ、天井面に固定する際にはフック部材の係止間隙に電波吸収体の係止部を水平方向にスライドさせて引っ掛けて係止固定し、壁面に固定する際にはフック部材の係止間隙に電波吸収体の係止部を落とし込むようにして、係止固定することができる。
図６は、壁面に取付けたフック部材に係止させて固定した本発明の電波暗室用電波吸収体の断面図である。
図７は、天井面に取付けたフック部材に係止させて固定した本発明の電波暗室用電波吸収体の断面図である。
天井面に固定する際には、固定時の安定性の面から電波吸収体１体あたり４個以上のフック部材を用いて固定することが好ましく、壁面に固定する際には、電波吸収体１体あたり２個以上のフック部材を用いて固定することが好ましい。
【実施例】
【００２３】
［実施例１］
（電波吸収性シート）
（中芯用シート）
下記の繊維および含水無機化合物をそれぞれに記載の質量割合で水を媒体として混合し、巻き取りスピード１００ｍ/分で湿式抄紙し、厚さ０．１２ｍｍ、坪量１００ｇ／ｍ２の中芯用シートを得た。
平均繊維長６ｍｍ、繊維径７μｍのＰＡＮ系炭素繊維：０．８質量部
繊維長６ｍｍ、繊維径７μｍのチョップドガラス繊維：２９．２質量部
平均繊維長１ｍｍのアラミドパルプ：１０質量部
水酸化アルミニウム：６０質量部。
【００２４】
（ライナ用シート）
上記配合から炭素繊維を除いた配合で、水を媒体として混合し、巻き取りスピード１００ｍ/分で湿式抄紙し、厚さ０．１２ｍｍ、坪量１００ｇ／ｍ２のライナ用シートを得た。
【００２５】
（波形加工・貼合わせ）
上記中芯用シートを熱プレスロールで波形に加工し、その両側に上記ライナ用シートを貼り合わせ、段ボール形状で厚さ２．５ｍｍの電波吸収性シートを得た。
【００２６】
（電波吸収体）
上記電波吸収性シートを概略図１に示すような形に裁断し、これを組み立てて、底面６００ｍｍ×６００ｍｍ、高さ４５０ｍｍで底面に縁幅５０ｍｍの開口部を有する中空ピラミッド形状の電波吸収体とした。
また、その底面部の内側には、厚さ４ｍｍのポリプロピレン製プラスチック段ボールからなり、縦横６００ｍｍ×６００ｍｍで、２１０ｍｍ×２１０ｍｍの開口部を４個有し、縁および梁（係止部）の幅６０ｍｍの田形形状の補強部材（図３（ｂ）参照。）を配置した。
【００２７】
（フック部材）
ポリ塩化ビニル樹脂板を貼り合せて加工し、図５に対応する寸法が以下のとおりのフック部材を作製した。
ａ：１５０ｍｍ
ｂ：１００ｍｍ
ｃ：１００ｍｍ
ｄ：６０ｍｍ
ｅ：２０ｍｍ
これを図８に示すような間隔で、電波吸収体１個に対して４個ずつ、電波暗室の壁面にビス止めし、取り付けた。
【００２８】
（電波吸収体の係止固定）
上記電波吸収体の開口部に壁面に固定した上記フック部材の先端部を挿入し、フック部材のフック間隙に電波吸収体の係止部を落とし込むようにして係止固定した（図９参照。）。
【００２９】
［実施例２］
（電波吸収性シート）
実施例１で用いたのと同様のものを用いた。
【００３０】
（電波吸収体）
上記電波吸収性シートを実施例１と同様にして裁断し、組み立てて、底面に開口部を有する中空ピラミッド形状の電波吸収体とした。
また、その底面部の内側には、厚さ４ｍｍのポリプロピレン製プラスチック段ボールからなり、縦横６００ｍｍ×６００ｍｍで、１４０ｍｍ×１４０ｍｍの開口部を９個有し、縁および梁（係止部）の幅４５ｍｍの囲字形状の補強部材（図３（ｄ）参照。）を配置した。
【００３１】
（フック部材）
ポリ塩化ビニル樹脂板を貼り合せて加工し、基本的には実施例１と同様の構成でさらに図４（ｂ）のような先端部に爪を設けたものを作製した。
これを図１０に示すような間隔で、電波吸収体１個に対して４個ずつ、電波暗室の天井面にビス止めし、取り付けた。
【００３２】
（電波吸収体の係止固定）
上記電波吸収体の開口部に天井面に固定した上記フック部材の先端部を挿入し、フック部材のフック間隙に電波吸収体の係止部を水平方向にスライドさせて引っ掛けて係止固定した（図１１参照。）。
【００３３】
［実施例３］
（電波吸収性シート）
実施例１で用いたのと同様のものを用いた。
【００３４】
（電波吸収体）
上記電波吸収性シートを概略図１に示すような形に裁断し、これを組み立てて、底面６００ｍｍ×６００ｍｍ、高さ９００ｍｍで底面に縁幅５０ｍｍの開口部を有する中空ピラミッド形状の電波吸収体とした。
また、その底面部の内側には、実施例１で用いたのと同様の田形形状の補強部材（図３（ｂ）参照。）を配置した。
【００３５】
（フック部材）
実施例１で用いたのと同様のものを用い、実施例１と同様の配置で電波暗室の壁面にビス止めし、取り付けた。
【００３６】
（電波吸収体の係止固定）
上記電波吸収体の開口部に壁面に固定した上記フック部材の先端部を挿入し、フック部材のフック間隙に電波吸収体の係止部を落とし込むようにして係止固定した（図９参照。）。
【００３７】
［実施例４]
（電波吸収性シート）
実施例１で用いたのと同様のものを用いた。
【００３８】
（電波吸収体）
上記電波吸収性シートを概略図１に示すような形に裁断し、これを組み立てて、底面６００ｍｍ×６００ｍｍ、高さ９００ｍｍで底面に縁幅５０ｍｍの開口部を有する中空ピラミッド形状の電波吸収体とした。
また、その底面部の内側には、厚さ４ｍｍのポリプロピレン製プラスチック段ボールからなり、縦横６００ｍｍ×６００ｍｍで、１４０ｍｍ×１４０ｍｍの開口部を９個有し、縁および梁（係止部）の幅４５ｍｍの囲字形状の補強部材（図３（ｄ）参照。）を配置した。
【００３９】
（フック部材）
ポリ塩化ビニル樹脂板を貼り合せて加工し、基本的には実施例１と同様の構成でさらに図４（ｂ）のような先端部に爪を設けたものを作製した。
これを図１０に示すような間隔で、電波吸収体１個に対して４個ずつ、電波暗室の天井面にビス止めし、取り付けた。
（実施例２と同様）。
【００４０】
（電波吸収体の係止固定）
上記電波吸収体の開口部に天井面に固定した上記フック部材の先端部を挿入し、フック部材のフック間隙に電波吸収体の係止部を水平方向にスライドさせて引っ掛けて係止固定した（図１１参照。）。
【図面の簡単な説明】
【００４１】
【図１】中空ピラミッド形状の電波吸収体のシート状態の概略展開図である。
【図２】中空ピラミッド形状に組み立てた電波吸収体の概略斜視図である。
【図３】係止部を補強する部材の形状の例を示す概略図である。
【図４】フック部材の例を示す断面図である。
【図５】フック部材を壁面に取付けた状態の断面図である。
【図６】壁面に取付けたフック部材に係止させて固定した電波吸収体の状態を示す断面図である。
【図７】天井面に取付けたフック部材に係止させて固定した電波吸収体の状態を示す断面図である。
【図８】本発明の実施例１および実施例３における、フック部材配置を示す概略図である。
【図９】本発明の実施例１および実施例３における、電波吸収体をフック部材に係止する状態を示す断面図である。
【図１０】本発明の実施例２および実施例４における、フック部材配置を示す概略図である。
【図１１】本発明の実施例２および実施例４における、電波吸収体をフック部材に係止する状態を示す断面図である。
【符号の説明】
【００４２】
１：電波吸収体
２：係止部
３：開口部
４：梁
５：補強部材
６：フック部材
７：爪部
８：壁面
９：ビス
１０：係止間隙
１１：天井面
【図３】
2009231704.tif 000003
【図１】
2009231704.tif 000004
【図２】
2009231704.tif 000005
【図４】
2009231704.tif 000006
【図５】
2009231704.tif 000007
【図６】
2009231704.tif 000008
【図７】
2009231704.tif 000009
【図８】
2009231704.tif 000010
【図９】
2009231704.tif 000011
【図１０】
2009231704.tif 000012
【図１１】
2009231704.tif 000013